(57)【要約】      （修正有）【課題】脚を本体の長手方向と同方向に向きを変えることが出来て、且つ、使用する現地で脚の向きが簡略に変えられるハードルを提供する。【解決手段】各種競技のトレーニングに使用される高さが１５ｃｍから２５ｃｍ程度のハードルにおいて、脚２に植立した柱管を、本体１の両端部を所望の長さに折り曲げた曲げ部８に嵌挿入してハードルＡを形成し、柱管内に、スプリングでこの柱管の外方に突出自在にピン５を備えるとともに、曲げ部の適所に少なくとも二ケ所の高さ調節ピン用孔４と一ケ所の脚向き変えピン孔を設け、高さ調節ピン用孔は、本体の長手方向に対しその片側面縦方向に、脚向き変えピン孔は本体の長手方向正面に設け、また、柱管に内装されるスプリングは板状のものとしたことを特徴とし、脚、柱管、本体の各部材はパイプ状とする。【選択図】図２
0003137659.tif 000002
【実用新案登録請求の範囲】
【請求項１】
各種競技のトレーニングに使用される高さが１５ｃｍから２５ｃｍ程度のハードルにおいて、脚２に植立した柱管６を、本体１の両端部を所望の長さに折り曲げた曲げ部８に嵌挿入してハードルＡを形成し、前記柱管６内に、スプリング７でこの柱管６の外方に突出自在にピン５を備えるとともに、前記曲げ部８の適所に、少なくとも二ケ所の高さ調節ピン用孔４と一ケ所の脚向き変えピン孔１０を設けたことを特徴とするトレーニング用ハードル。
【請求項２】
曲げ部８に備えられる高さ調節ピン用孔４は、本体１の長手方向に対しその片側面に、脚向き変えピン孔１０は本体１の長手方向正面に設けられた請求項１記載のトレーニング用ハードル。
【請求項３】
脚、柱管、本体の各部材はパイプ状であり、柱管６に内装されるスプリング７は板状を呈するものであることを特徴とする請求項１記載のトレーニング用ハードル。
【考案の詳細な説明】
【技術分野】
【０００１】  本考案は陸上競技に使用される一般的なハードルと比べ、略１５ｃｍ或いは２５ｃｍ程度とその高さが低い、例えばサッカー競技のような他の競技のトレーニングなどに使用されるハードルに関するものである。
【背景技術】
【０００２】  これらのハードルを使ってのトレーニングは、膝を高く上げ、腕をしっかり握ってリズムカルにハードル間を３歩のステップで走り抜けるスピード養成するためのスリーステップ法。
ハードルに対して横向きに立ち、片方の脚をしっかり上げてサイドステップで走り抜けるスピードとバランスを養成するためのサイドステップ法。
両足で連続してハードルをジャンプして跳び越して行くパワーを養成するために両足ジャンプ法が知られている。
最近、このような方法の採用でトレーニング効果をあげており、今後益々この種のハードルの利用が他の競技のトレーニングに採用されてくることが期待されている。【０００３】  従って、このようなトレーニングにハードルを使用することは一度に数多くのハードルを心要とする。そもそもハードルは、本体に対し脚がＴ字状を呈するように形成して、全体的にはＨ形とすることで設置の安定を保持するように成っていることから、荷造り運搬時の嵩張りはいたし方ないとされ、結局この事が価格を押上げる要因の一つとなっていた。
したがって、脚を本体の長手方向と同方向に向きを変えることが可能で、且つ、使用する現地で脚の向きが簡略に変えられるハードルが強く求められている。
【考案の開示】
【考案が解決しようとする課題】
【０００４】  そこで本考案では、これらのトレーニングに使用するハードルの本体両端部の曲げ部と、脚部とに改良を加え、脚を本体の長手方向と同方向に向きを変えるようにして、荷造り運搬時の嵩張り問題を解決するとともに、使用するときは脚の向きが簡略に変えられるようにして抱えている問題を解決しようとするものである。
【課題を解決するための手段】
【０００５】  各種競技のトレーニングに使用される高さが１５ｃｍから２５ｃｍ程度のハードルにおいて、脚に植立した柱管を、本体の両端部を所望の長さに折り曲げた曲げ部に嵌挿入してハードルを形成し、前記柱管内に、スプリングでこの柱管の外方に突出自在にピンを備えるとともに、前記曲げ部の適所に少なくとも二ケ所の高さ調節ピン用孔と一ケ所の脚向き変えピン孔を設け、本体の両端の曲げ部に備えられる高さ調節ピン用孔は、本体の長手方向に対しその片側面に、脚向き変えピン孔は本体の長手方向正面に設け、また、柱管に内装されるスプリングは板状のものとしたことを特徴とし、脚、柱管、本体の各部材はパイプ状として課題を解決するための手段としている。
【考案の効果】
【０００６】    本考案は以上のような構成を有するものであるから、以下の効果を奏する。
（１）荷造り運搬時における脚は、本体長手方向と同方向で且つ本体下方で、略その全長内に対向する形で収まるので嵩張らず運賃を抑制することが出来る。【０００７】（２）使用するときは、ピンを押しながら脚を回すだけで脚の向きを簡略に変える事ができ、その組立てに難は無く、中学生にも操作できるので学校体育でのトレーニングにも採用可能となる。【０００８】（３）脚と本体とを係止固定する役目を果たすピンは、脚に植立された柱管内に備えられたスプリングの力でこの柱管の外方に常時突出する形を保持しているので、不用意に係止状態が変わる事がない。
【考案を実施するための最良の形態】
【０００９】  本考案のトレーニング用ハードルは、両端部に折り曲げ部８を有する本体１と、柱管６を植立した脚２と、この柱管６内に備えられたピン５を有するスプリング７との主要な三つの部材から構成され、折り曲げ部を有する本体並びに植立した柱管及び脚とはパイプで作られること、柱管内に備えられたスプリングは板状のものであることが望ましい。【００１０】  脚２の両端には、滑り止めと小石なとの流入防止の役目を果たす先端カバー３が設けられていて、本体には例えば赤、青、黄色などの着色加工が施されればトレーニング効果をより挙げることが期待できる。【００１１】    折り曲げ部８の縦方向に少なくとも上下二カ所に設けられる高さ調節用のピン孔４と、該孔４とは別所に一ヶ所設けられる脚向き変え用のピン孔１０とは同径であって、且つ前記ピン孔４の最上部の孔と該脚向き変え用のピン孔１０とは同等の高さ位置に設けられる。【００１２】  折り曲げ部８に設けられる高さ調節用のピン孔４は、本体１の長手方向片側面の縦方向に、脚向き変え用のピン孔１０は、本体１の長手方向正面に設けられる。つまり、前記高さ調節用のピン孔４と脚向き変え用のピン孔１０とは略９０度異なる方向を呈している。
【実施例】
【００１３】  図面に示す実施例に基づき本考案を説明すると、図１は本考案が使用状態にあるケースを示していて、ハードルＡは、主要な三つの部材から構成されている。
第一の部材は両端部を折り曲げ部８とした本体１で、該曲げ部８には、本体長手方向の片側面縦方向に少なくとも２ヶ所に高さ調節用のピン孔４と、本体長手方向の正面一ヶ所には脚向き変え用ピン孔１０が設けられている。【００１４】  第二の部材は両端に先端カバー３が備えられた脚２で、該脚２には柱管６が植立されていて、その上方、即ち、前記ピン孔４の上方の孔位置と同等の高さに脚ピン孔９が設けられている。
またこの柱管６内には、第三の部材である片端部にピン５を有したスプリング７が内装され、前記孔９からピン５が外方に突出している。【００１５】  図２は本考案ハードルＡが不使用状態にあるケースを示していて、脚２が本体１の長手方向の下方で対向する形でその向きを変えている荷造り運搬時を示したもので、図３は図１の状態における本体折り曲げ部と脚とを説明するもので、図中矢印は脚の回転方向を示している。【００１６】  図４は図２における本体折り曲げ部と脚とを説明するもので、図５は図４の状態の要部を断面で示したもので、図６は図３の要部を断面で示したものである。
【産業上の利用可能性】
【００１７】  以上説明のように本考案のトレーニングハードルは、脚の向きを変えることで嵩張り問題を解決して、輸送費を軽減することができることから製品単価を下げることが可能となるばかりでなく、脚の向き変え作業はピンを押すだけと言う簡便な方法で行なうことができることから中学生にも取扱うことが可能となって、よりその利用範囲は広がった。
また、製造上問題となる点も存在しないことから産業上の利用可能性も高いものが望める。
【図面の簡単な説明】
【００１８】
【図１】本考案のトレーニング用ハードル全体を説明する図である。
【図２】本考案ハードルの荷造り運搬のとき、脚を本体長手方向の下方に対向する形で向きを変えた状態を説明する図である。
【図３】図１における本体の折り曲げ部と脚との状態を説明する図である。
【図４】図２における本体の折り曲げ部と脚との状態を説明する図である。
【図５】図２における本体の折り曲げ部と脚との要部を断面で説明する図である。
【図６】図３における本体の折り曲げ部と脚との要部を断面で説明する図である。
【符号の説明】
【００１７】Ａ本考案のトレーニング用ハードル
１本体      ２脚      ３先端カバー      ４高さ調節ピン孔      ５ピン      ６柱管７スプリング      ８曲げ部      ９脚ピン孔      １０脚向き変えピン孔
【図１】
0003137659.tif 000003
【図２】
0003137659.tif 000004
【図３】
0003137659.tif 000005
【図４】
0003137659.tif 000006
【図５】
0003137659.tif 000007
【図６】
0003137659.tif 000008